(57)【特許請求の範囲】
【請求項１】
種々のサービスにそれぞれ対応するアプリケーションデータファイルが記憶されるファイル領域とこのファイル領域に記憶されるアプリケーションデータファイルごとの管理情報としてのファイルＩＤナンバーとファイルが有効か無効かを示すフラグとファイルのサイズが記憶される管理情報領域とからなるメモリを有するＩＣカードを取扱うＩＣカード取扱装置において、
削除するサービスに対応するファイルＩＤナンバーを指定する第１の指定手段と、
この第１の指定手段により指定されたファイルＩＤナンバーに対応する上記メモリ内のフラグにより、上記サービスの使用停止を判断する第１の判断手段と、
上記サービスに対応するアプリケーションデータファイルを削除する権限を持っているかを判断する第２の判断手段と、
上記第１の判断手段により上記サービスの使用停止を判断し、かつ上記第２の判断手段により上記サービスに対応するアプリケーションデータファイルを削除する権限を持っていることを判断した際、上記メモリ内のフラグを無効化することにより、そのアプリケーションデータファイルに対応するメモリ上のファイル領域を開放する第１の処理手段と、
ファイル創成処理により再利用するファイル位置に対応するファイルＩＤナンバーと創成するファイルのサイズとを指定する第２の指定手段と、
この第２の指定手段により指定されたファイルＩＤナンバーに対応する上記メモリ内のフラグ状態が、無効ファイルであるか否かを判断する第３の判断手段と、
上記第２の指定手段により指定されたファイルＩＤナンバーに対応するファイルのサイズが、上記第２の指定手段により指定された創成するファイルのサイズ以上あるかを判断する第４の判断手段と、
上記ファイル創成処理を行うための権限を持っているかを判断する第５の判断手段と、
上記第３の判断手段によりフラグ状態が無効ファイルであると判断し、上記第４の判断手段により無効ファイルのサイズが創成するファイルのサイズ以上と判断し、上記第５の判断手段によりファイル創成処理を行うための権限を持っていることを判断した際、ファイルＩＤナンバーに対応するフラグ状態を有効に変更し、ファイルのサイズを創成するファイルのサイズに書き換える第２の処理手段と、
を具備したことを特徴とするＩＣカード取扱装置。
【請求項２】
種々のサービスにそれぞれ対応するアプリケーションデータファイルが記憶されるファイル領域とこのファイル領域に記憶されるアプリケーションデータファイルごとの管理情報としてのファイルＩＤナンバーとファイルが有効か無効かを示すフラグとファイルのサイズが記憶される管理情報領域とからなるメモリを有するＩＣカードにおいて、
外部装置からの削除するサービスに対応するファイルＩＤナンバーを受信する第１の受信手段と、
この第１の受信手段により受信されたファイルＩＤナンバーに対応する上記メモリ内のフラグにより、上記サービスの使用停止を判断する第１の判断手段と、
上記サービスに対応するアプリケーションデータファイルを削除する権限を持っているかを判断する第２の判断手段と、
上記第１の判断手段により上記サービスの使用停止を判断し、かつ上記第２の判断手段により上記サービスに対応するアプリケーションデータファイルを削除する権限を持っていることを判断した際、上記メモリ内のフラグを無効化することにより、そのアプリケーションデータファイルに対応するメモリ上のファイル領域を開放する第１の処理手段と、
外部装置からのファイル創成処理により再利用するファイル位置に対応するファイルＩＤナンバーと創成するファイルのサイズとを受信する第２の受信手段と、
この第２の受信手段により受信されたファイルＩＤナンバーに対応する上記メモリ内のフラグ状態が、無効ファイルであるか否かを判断する第３の判断手段と、
上記第２の受信手段により受信されたファイルＩＤナンバーに対応するファイルのサイズが、上記第２の受信手段により受信された創成するファイルのサイズ以上あるかを判断する第４の判断手段と、
上記ファイル創成処理を行うための権限を持っているかを判断する第５の判断手段と、
上記第３の判断手段によりフラグ状態が無効ファイルであると判断し、上記第４の判断手段により無効ファイルのサイズが創成するファイルのサイズ以上と判断し、上記第５の判断手段によりファイル創成処理を行うための権限を持っていることを判断した際、ファイルＩＤナンバーに対応するフラグ状態を有効に変更し、ファイルのサイズを創成するファイルのサイズに書き換える第２の処理手段と、
を具備したことを特徴とするＩＣカード。
【発明の詳細な説明】
【０００１】
【産業上の利用分野】
この発明は、ＩＣカードとそのＩＣカードを取扱うＩＣカード取扱装置に関する。
【０００２】
【従来の技術】
一般に、ＩＣカードは、製造、初期化、発行、利用、廃棄という順番のカードライフサイクルを有している。この場合、カードが製造されてから、カード所持者がサービスを受け、サービス停止・カードが破棄されるまでの流れにおいて、ＩＣカードはカード発行者による一次発行処理の工程で、メモリの割当てを行い、サービスを受けるメモリ領域に対するアプリケーション  データ  ファイル（ＡＤＦ：Application  Data File）の確保を行う。
【０００３】
このようなＩＣカードでは、ある特定サービスを受ける場合、当該サービスにて利用するファイルエリアをあらかじめアロケーション（メモリ割当）しておき、その割り当てられたサイズ内でどのようなデータまたはキーを記録するかを検討し、当該データを記録するデータエリア等のアロケーションを行っている。
【０００４】
つまり、全てにおいてデータを書込む際に事前にアロケーションという処理が必要となっている。
なお、一旦、割当てられた領域に対しては、変更または削除（領域の開放）は、できないようになっている。
【０００５】
したがって、サービスを受けなくなった場合でも、当該サービスで利用していたファイルのメモリ領域は開放できず、新たなサービスを受けるための領域が残っていない場合がある。このため、限られたＩＣカードのメモリ容量内でメモリを有効利用できないという欠点がある。
【０００６】
従来のＩＣカードおよびＩＣカード取扱装置では、一旦、一次発行者によって割当てられたＩＣカードの領域は、当該サービスの利用が停止された場合でも、メモリ領域を開放し、他のサービスとして再利用することができない。したがって、サービスを停止した場合は、無駄な領域となってしまい、ＩＣカードの限られたメモリを有効活用できないという欠点がある。
【０００７】
【発明が解決しようとする課題】
この発明は、上記したように、ＩＣカードのメモリの有効活用が図れないという欠点を除去するもので、ＩＣカードのメモリの有効活用が図れるＩＣカードおよびＩＣカード取扱装置を提供することを目的とする。
【０００８】
【課題を解決するための手段】
この発明のＩＣカード取扱装置は、種々のサービスにそれぞれ対応するアプリケーションデータファイルが記憶されるファイル領域とこのファイル領域に記憶されるアプリケーションデータファイルごとの管理情報としてのファイルＩＤナンバーとファイルが有効か無効かを示すフラグとファイルのサイズが記憶される管理情報領域とからなるメモリを有するＩＣカードを取扱うものにおいて、削除するサービスに対応するファイルＩＤナンバーを指定する第１の指定手段と、この第１の指定手段により指定されたファイルＩＤナンバーに対応する上記メモリ内のフラグにより、上記サービスの使用停止を判断する第１の判断手段と、上記サービスに対応するアプリケーションデータファイルを削除する権限を持っているかを判断する第２の判断手段と、上記第１の判断手段により上記サービスの使用停止を判断し、かつ上記第２の判断手段により上記サービスに対応するアプリケーションデータファイルを削除する権限を持っていることを判断した際、上記メモリ内のフラグを無効化することにより、そのアプリケーションデータファイルに対応するメモリ上のファイル領域を開放する第１の処理手段と、ファイル創成処理により再利用するファイル位置に対応するファイルＩＤナンバーと創成するファイルのサイズとを指定する第２の指定手段と、この第２の指定手段により指定されたファイルＩＤナンバーに対応する上記メモリ内のフラグ状態が、無効ファイルであるか否かを判断する第３の判断手段と、上記第２の指定手段により指定されたファイルＩＤナンバーに対応するファイルのサイズが、上記第２の指定手段により指定された創成するファイルのサイズ以上あるかを判断する第４の判断手段と、上記ファイル創成処理を行うための権限を持っているかを判断する第５の判断手段と、上記第３の判断手段によりフラグ状態が無効ファイルであると判断し、上記第４の判断手段により無効ファイルのサイズが創成するファイルのサイズ以上と判断し、上記第５の判断手段によりファイル創成処理を行うための権限を持っていることを判断した際、ファイルＩＤナンバーに対応するフラグ状態を有効に変更し、ファイルのサイズを創成するファイルのサイズに書き換える第２の処理手段とを有する。
【０００９】
この発明のＩＣカードは、種々のサービスにそれぞれ対応するアプリケーションデータファイルが記憶されるファイル領域とこのファイル領域に記憶されるアプリケーションデータファイルごとの管理情報としてのファイルＩＤナンバーとファイルが有効か無効かを示すフラグとファイルのサイズが記憶される管理情報領域とからなるメモリを有するものにおいて、外部装置からの削除するサービスに対応するファイルＩＤナンバーを受信する第１の受信手段と、この第１の受信手段により受信されたファイルＩＤナンバーに対応する上記メモリ内のフラグにより、上記サービスの使用停止を判断する第１の判断手段と、上記サービスに対応するアプリケーションデータファイルを削除する権限を持っているかを判断する第２の判断手段と、上記第１の判断手段により上記サービスの使用停止を判断し、かつ上記第２の判断手段により上記サービスに対応するアプリケーションデータファイルを削除する権限を持っていることを判断した際、上記メモリ内のフラグを無効化することにより、そのアプリケーションデータファイルに対応するメモリ上のファイル領域を開放する第１の処理手段と、外部装置からのファイル創成処理により再利用するファイル位置に対応するファイルＩＤナンバーと創成するファイルのサイズとを受信する第２の受信手段と、この第２の受信手段により受信されたファイルＩＤナンバーに対応する上記メモリ内のフラグ状態が、無効ファイルであるか否かを判断する第３の判断手段と、上記第２の受信手段により受信されたファイルＩＤナンバーに対応するファイルのサイズが、上記第２の受信手段により受信された創成するファイルのサイズ以上あるかを判断する第４の判断手段と、上記ファイル創成処理を行うための権限を持っているかを判断する第５の判断手段と、上記第３の判断手段によりフラグ状態が無効ファイルであるとを判断し、上記第４の判断手段により無効ファイルのサイズが創成するファイルのサイズ以上と判断し、上記第５の判断手段によりファイル創成処理を行うための権限を持っていることを判断した際、ファイルＩＤナンバーに対応するフラグ状態を有効に変更し、ファイルのサイズを創成するファイルのサイズに書き換える第２の処理手段とを有する。
【００１０】
【作用】
この発明は、上記のような構成において、複数のアプリケーションデータファイルがそれぞれ別々の所定サイズの領域に割当てられて記憶されているメモリを有するＩＣカードを取扱うものにおいて、所定のアプリケーションデータファイルの無効を指示し、この指示に応じて上記メモリ内に割当てられて記憶されているアプリケーションデータファイルを無効にし、この無効となっているアプリケーションデータファイルの代りのアプリケーションデータファイルの記憶を指示し、この指示に応じて対応するファイルが無効となっている際、上記新たなアプリケーションデータファイルを上記無効となっているアプリケーションデータファイルの代りに上記メモリに記憶させるようにしたものである。
【００１１】
【実施例】
以下、この発明の一実施例について図面を参照して説明する。
図１はこの発明のＩＣカード取扱装置としてのＩＣカード発行装置を示すものである。このＩＣカード発行装置１は、全体を制御するＣＰＵ１１、ＩＣカード２の発行を制御する制御プログラムやＩＣカード２の発行管理情報などが記憶されているメモリ１２、発行の操作手順や状態をオペレータに知らせる表示部１３、操作を行うための入力装置としてのキーボード１４、装置の処理内容である発行データなどが記憶されている磁気ディスク１５、およびＩＣカード２に発行データなどを書込んだり、書込まれているデータを読取るリードライト部１６によって構成されている。
【００１２】
また、上記ＩＣカード発行装置１には、オプションとして、ＩＣカード２に設けられている磁気ストライプ部に対するデータの書込みあるいは読取りを行う磁気リードライト部１７やＩＣカード２上に文字や写真の内容を印刷するカード印刷部１８が任意に設けられるようになっている。
【００１３】
また、上記ＩＣカード２は、図２に示すように、制御用のマイクロプロセッサ（ＭＰＵ）２ａ、ＥＥＰＲＯＭ等で構成されるデータを記憶するメモリ２ｂ、および上記リードライト部１６とＭＰＵ２ａとを接続するコネクタ２ｃによって構成されている。
【００１４】
メモリ２ｂは、図３に示すように、初期化情報が記憶される初期化情報記憶エリア２１、各サービスのファイルごとのディレクトリが記憶されるディレクトリ記憶エリア２２、各サービスにそれぞれ対応するアプリケーションデータファイル（ＡＤＦ）が記憶されるＡＤＦ記憶エリア２３、およびコントロールデータファイル（ＣＤＦ）が記憶されるＣＤＦ記憶エリア２４によって構成されている。
【００１５】
ディレクトリ記憶エリア２２の各ディレクトリは、図３、図４に示すように、各サービスのファイル名が記憶されるファイル名記憶エリア３１、各ファイルＩＤとそのファイルが有効か無効かを示すフラグからなるＩＤ記憶エリア３２、対象ファイルの開始アドレスが記憶される開始アドレス記憶エリア３３、対象ファイルのサイズが記憶されるサイズ記憶エリア３４などからなっている。
【００１６】
上記ファイルＩＤナンバーとしては、１〜１２７が付与されるようになっている。上記フラグが「０」の場合、ファイルが無効であり、フラグが「１」の場合、ファイルが有効であることを示している。上記フラグは、アロケーションの際に、「１」が設定され、デアロケーションの際に、「０」が設定される。
【００１７】
ＡＤＦ記憶エリア２３の各ＡＤＦは、図３に示すように、各データ記憶エリア４２ごとのディレクトリが記憶されるディレクトリ記憶エリア４１と、実データが記憶されるデータ記憶エリア４２によって構成されている。
【００１８】
ディレクトリ記憶エリア４１の各ディレクトリは、図３、図５に示すように、各データ記憶エリアＩＤとそのファイルが有効か無効かを示すフラグからなるＡ（エリア）ＩＤ記憶エリア５１、対象のデータ記憶エリア４２の開始アドレスが記憶される開始アドレス記憶エリア５２、対象のデータ記憶エリア４２のサイズが記憶されるサイズ記憶エリア５３などからなっている。
【００１９】
上記データ記憶エリアＩＤとしては、１〜１２７が付与されるようになっている。上記フラグが「０」の場合、エリアが無効であり、フラグが「１」の場合、エリアが有効であることを示している。上記フラグは、アロケーションの際に、「１」が設定され、デアロケーションの際に、「０」が設定される。
【００２０】
上記メモリ２ｂのメモリ領域の解放方法について説明する。
すなわち、一旦割当てたメモリ領域を解放するためには、記録済みデータの保護およびセキュリティ上の理由より以下の条件をすべて満足する必要がある。
【００２１】
当該サービスが使用停止（ファイルロック状態）となり、使用再開（ファイルロック解除）ができない状態である。
ファイル削除処理を実行する上で、正当なアクセス権限を持ったものであること。正当なアクセス権限を持ったものとは、当該ファイル削除を実行できる権限を与えられた操作者およびノードを持つ者を示す。
【００２２】
上記条件をすべて満足した場合、カード発行装置１によるファイル削除コマンド（デアロケーションコマンド）でどのファイルを削除するかをＩＤナンバーにて指定することにより、ＩＣカード２は当該ＡＤＦ管理レコードとしてのファイルディレクトリを無効とし、かつ、当該メモリ領域が未使用状態となり、領域が解放される。
【００２３】
ＩＣカード２は、メモリ領域を選択する際、当該メモリ領域のファイルディレクトリにより当該メモリ領域の有無（無効化されていれば、当該メモリ領域は無し）を判断し、処理する。
【００２４】
次に、メモリ２ｂのメモリ領域の確保方法について、図６を参照しつつ説明する。
すなわち、メモリ領域の確保には、メモリ２ｂの空き領域（１回も使用されていない領域）に対するメモリ領域創成コマンド（アロケーションコマンド、図６参照）でどのファイル位置を再利用するかをＩＤナンバーにて指定することにより、下記のすべての条件を満足されれば、無効となっていたＡＤＦ管理レコードとしてのファイルディレクトリは新たな情報で有効化され、再利用できる。
【００２５】
ＩＤナンバーが示す当該ファイルディレクトリが無効となっている。
ファイルサイズは空き領域（一回も使用していない領域）に対し、最初にメモリ領域創成したファイルサイズ内とする。
【００２６】
ファイル創成処理を実行する上で、正当なアクセス権限を持ったものであること、正当なアクセス権限を与えられた操作者およびノードを持つ者を示す。
メモリ領域での、ファイル再創成後、各データエリア等の割当ては新規データには新たにアロケーションされる。
【００２７】
なお、領域の解放および再使用時にファイル位置を示すＩＤナンバーは、空き領域（一回も使用していない領域）に対し、新規にメモリ領域ファイルを創成するときに、カード内部で自動的に付与される情報である。
【００２８】
カード発行装置１にて、ＩＣカード２に所定のサービスに対するＡＤＦが記憶されていた一旦確保されたメモリ領域を解放し、他のサービスのＡＤＦのメモリ領域として再利用する用にしたものである。
【００２９】
次に、上記のような構成において、ＩＣカード２の発行動作について、図７に示すフローチャートを参照しつつ説明する。図７は、一旦確保されているＡＤＦの解放について説明する。
【００３０】
まず、発行者は、何も記録されていないＩＣカード２をリードライト部１６に挿入する（ＳＴ１）。すると、ＣＰＵ１１は、リードライト部１６に挿入されたＩＣカード２に対して、正当な端末・システムであることをノード認証照合で証明する（ＳＴ２）。この後、ＣＰＵ１１は、発行者の暗証入力の案内を表示部１３で行う。この案内に応じて、発行者はキーボード１４により暗証を入力する（ＳＴ３）。
【００３１】
この暗証の入力に応じて、ＣＰＵ１１は、ＩＣカード２との暗証等のやり取りにより、操作者が正当な発行者本人であることを証明する（ＳＴ４）。
ついで、この証明後、操作者はキーボード１４により削除するファイルＩＤナンバーが指定されることにより、ＣＰＵ１１は、ファイルＩＤナンバーを有するファイル削除コマンド（デアロケーションコマンド）をＩＣカード２内のＭＰＵ２ａに送信する（ＳＴ５）。
【００３２】
これにより、ＩＣカード２内のＭＰＵ２ａは、受信したファイル削除コマンドに応じて、ファイル削除処理を実行する（ＳＴ６）。
このファイル削除処理に対して、ＩＣカード２から正常終了が供給された際（ＳＴ７）、ＣＰＵ１１はメモリ１２内の発行管理情報にファイル削除を記録する（ＳＴ８）。この記録後、ＩＣカード２がリードライト部１６から排出される（ＳＴ９）。
【００３３】
また、上記ステップ７でＩＣカード２から異常が供給された際、ＣＰＵ１１はエラー処理となる。
次に、ＩＣカード２のファイル削除処理を図８に示すフローチャートを参照しつつ説明する。
【００３４】
まず、ＭＰＵ２ａはリードライト部１６からのファイル削除コマンドを解析する（ＳＴ１１）。そして、ＭＰＵ２ａはファイル削除コマンド内のファイルＩＤナンバーと一致するファイルＩＤナンバーが記憶されているファイルをメモリ２ｂから検索し、その検索されたファイルに対応するＩＤ記憶エリア３２内のフラグによりファイルロック済み（サービス業務に対応する当該ファイルの使用停止）を判断し（ＳＴ１２）、アクセス権限解錠済み（正当なノードおよび正当な操作者）を判断する（ＳＴ１３）。
【００３５】
上記ステップ１２、１３の判断結果が正しい場合、ＭＰＵ２ａはファイルのＩＤ記憶エリア３２内のフラグとＡＩＤ記憶エリア５１内のフラグとを「１」から「０」に変更し、上記ファイルＩＤナンバーに対応するＡＤＦのファイルディレクトリとエリアディレクトリを無効とし、そのＡＤＦが記憶されていたメモリ領域が未使用状態となり、そのメモリ領域が解放される（ＳＴ１４、１５）。
【００３６】
次に、上記ＡＤＦの解放によって未使用状態となったメモリ領域の再利用について、図９に示すフローチャートを参照しつつ説明する。
まず、発行者は、上記ＡＤＦの解放によって未使用状態となったメモリ領域を有するＩＣカード２をリードライト部１６に挿入する（ＳＴ２１）。すると、ＣＰＵ１１は、リードライト部１６に挿入されたＩＣカード２に対して、正当な端末・システムであることをノード認証照合で証明する（ＳＴ２２）。この後、ＣＰＵ１１は、発行者の暗証入力の案内を表示部１３で行う。この案内に応じて、発行者はキーボード１４により暗証を入力する（ＳＴ２３）。
【００３７】
この暗証の入力に応じて、ＣＰＵ１１は、ＩＣカード２との暗証等のやり取りにより、操作者が正当な発行者本人であることを証明する（ＳＴ２４）。
ついで、この証明後、操作者はキーボード１４により再利用するファイルＩＤナンバーとサイズが指定されることにより、ＣＰＵ１１は、ファイルＩＤナンバーを有するファイル創成コマンド（アロケーションコマンド）をＩＣカード２内のＭＰＵ２ａに送信する（ＳＴ２５）。
【００３８】
これにより、ＩＣカード２内のＭＰＵ２ａは、受信したファイル創成コマンドに応じて、ファイル創成処理を実行する（ＳＴ２６）。
このファイル創成処理に対して、ＩＣカード２から正常終了が供給された際（ＳＴ２７）、ＣＰＵ１１はメモリ１２内の発行管理情報にファイル創成を記録する（ＳＴ２８）。この記録後、ＩＣカード２がリードライト部１６から排出される（ＳＴ２９）。
【００３９】
また、上記ステップ２７でＩＣカード２から異常が供給された際、ＣＰＵ１１はエラー処理となる。
次に、ＩＣカード２のファイル創成処理を図１０に示すフローチャートを参照しつつ説明する。
【００４０】
まず、ＭＰＵ２ａはリードライト部１６からのファイル創成コマンドを解析する（ＳＴ３１）。そして、ＭＰＵ２ａはファイル創成コマンド内のファイルＩＤナンバーが「００」の場合、新規創成（追記）と判断し（ＳＴ３２）、新規創成処理を実行する（ＳＴ３３）。
【００４１】
また、上記ステップ３２でＭＰＵ２ａはファイル創成コマンド内のファイルＩＤナンバーが「００」以外の場合、再利用と判断し（ＳＴ３２）、ステップ３４へ進む。
【００４２】
次に、ＭＰＵ２ａはファイル創成コマンド内のファイルＩＤナンバーと一致するファイルＩＤナンバーが記憶されているファイルをメモリ２ｂから検索し、その検索されたファイルに対応するＩＤ記憶エリア３２内のフラグにより無効ファイルを判断し（ＳＴ３４）、その検索されたファイルのサイズがファイル創成コマンド内のサイズ以上あるかを判断し（ＳＴ３５）、アクセス権限解錠済み（正当なノードおよび正当な操作者）を判断することにより（ＳＴ３６）、再利用可能か否かを判断する。
【００４３】
再利用可能が判断された場合、ＭＰＵ２ａは、ファイルＩＤナンバーに対応するＩＤ記憶エリア３２内のフラグとＡＩＤ記憶エリア５１内のフラグとを「０」から「１」に変更し（ＳＴ３７）、上記ファイルＩＤナンバーに対応するメモリ領域の各内容も今回のＡＤＦのデータで書換える。
【００４４】
上記したように、ＩＣカードのサービス停止となったアプリケーションデータファイルの割当て領域を開放し、未使用領域とし、他のサービスのアプリケーションデータファイルに対するメモリ領域として再利用することが可能とするようにしたものである。
【００４５】
これにより、アプリケーションサービスを受けるためにアロケーションされたファイルがサービス停止となった際に、デアロケーションすることが可能となり、別のアプリケーションサービスを受ける際に、デアロケーションされたメモリ空間に再度別のアロケーション情報を書込むことができる。
【００４６】
したがって、従来ＩＣカードでは一旦あるサービスを受けるために確保された領域は、サービスを受けなくなってもメモリ空間が開放されず無駄な領域になっていたが、ファイル削除コマンド（デアロケーションコマンド）を新規サポートし、ファイル創成コマンド（アロケーションコマンド）を見直すことにより、サービスを受けなくなった領域は無駄にはならず、他のサービスを利用するためのメモリ領域として再利用できる。
【００４７】
【発明の効果】
以上詳述したようにこの発明によれば、ＩＣカードのメモリの有効活用が図れるＩＣカードおよびＩＣカード取扱装置を提供できる。
【図面の簡単な説明】
【図１】この発明の一実施例におけるカード発行装置の全体の構成を示すブロック図。
【図２】ＩＣカードの構成を説明するためのブロック図。
【図３】ＩＣカードのメモリ構成を説明するための図。
【図４】ＩＣカードのメモリ構成を説明するための図。
【図５】ＩＣカードのメモリ構成を説明するための図。
【図６】ＩＣカードのメモリ構成を説明するための図。
【図７】カード発行装置の動作を説明するためのフローチャート。
【図８】カード内ファイル削除処理を説明するためのフローチャート。
【図９】カード発行装置の動作を説明するためのフローチャート。
【図１０】カード内ファイル削除処理を説明するためのフローチャート。
【符号の説明】
１…ＩＣカード発行装置（ＩＣカード取扱装置）
２…ＩＣカード
２ａ…ＭＰＵ
２ｂ…メモリ
１１…ＣＰＵ
１２…メモリ
１３…表示部
１４…キーボード
１６…リードライト部
【図１】
0003660364.tif 000002
【図２】
0003660364.tif 000003
【図３】
0003660364.tif 000004
【図４】
0003660364.tif 000005
【図５】
0003660364.tif 000006
【図６】
0003660364.tif 000007
【図７】
0003660364.tif 000008
【図８】
0003660364.tif 000009
【図９】
0003660364.tif 000010
【図１０】
0003660364.tif 000011